(57)【特許請求の範囲】
【請求項１】
カラム内に微生物を担持した担体を充填しておき、カラム中段より、洗浄水を散水しつつ、下部より臭気ガスを送風して担体に接触させながら上部方向に排出する脱臭装置において、
該散水装置の上方部にミストセパレーターを設け、
該ミストセパレーターの上方部に腐植土を用い造粒したペレットで構成される層を設けることを特徴とした生物と腐植土を利用した脱臭装置。
【請求項２】
請求項１記載の脱臭装置のうち、腐植土層が２層以上設けられた生物と腐植土を利用した脱臭装置。
【請求項３】
請求項１記載の脱臭装置のうち、ミストセパレーターが動植物の繊維又は合成繊維をスプリング状にカール加工して多くの小さな弾性体を作り、これらを結合剤で被覆結合した立体網目状の立体構造を有したものであり、腐植土層との間隔が５ｍｍ以上、層厚が５０ｍｍ以上である生物と腐植土を利用した脱臭装置。
【請求項４】
請求項１記載の脱臭装置のうち、腐植土層上部に活性炭層を設けた生物と腐植土を利用した脱臭装置。
【発明の詳細な説明】
【０００１】
【発明の属する技術分野】
本発明は脱臭装置に関するものである。
【０００２】
【従来の技術】
近年の産業の発達により、多種多様の臭気が発生し、市民生活において問題となっており、悪臭防止法等の法律も制定されている。
【０００３】
一般に脱臭法としては、燃焼法、、薬液洗浄法、吸着法、消臭・脱臭剤法。オゾン酸化法が有名であるが、生物を利用した方法、腐植土を利用した方法等も考案されている。
【０００４】
生物を利用した方法としては、特許登録1620607に充填塔にチオバチルスを担持させた担体を入れ、メチルメルカプタンと接触させることにより脱臭する方法が記載されている。また、特許登録1999018は連通気泡型のスポンジを担持体とした生物による脱臭方法を提唱している。一般に、生物を担持させた担体を充填塔に収容し、担体間に臭気ガスを通して脱臭する方法を充填法と呼ぶ。この方法は、非常にランニングコストが安く脱臭が行なえる半面、臭気濃度の大きな変化に対応できないほか、高濃度の臭気には適さず、また希薄な臭気は除去できない欠点を持つ。
【０００５】
よって、このような脱臭装置の後段には活性炭層を設けて、十分除去できなかった臭気を吸着除去する方法が取られることが多い(産業と環境64-67,1998、臭気の研究28(6)422-423,1997)。しかし、充填法の処理ガスは湿度が高いので、湿気のために活性炭の脱臭能力が大幅に低下することが頻繁に見られ問題となっている。もし、生物脱臭層の上部に直接活性炭層を設けて安定的に臭気を除去するには、積極的に除湿を行なう必要があり、電子除湿や精密な除湿フィルターを設ける必要がある。さもなければ,生物脱臭層と活性炭脱臭層は、別々の処理カラムにして配管で結合し、配管を通過する過程で除湿を行う必要があり、大きな装置となる。
【０００６】
【発明が解決しようとする課題】
本発明は上記事情に鑑みてなされたもので、生物を利用した充填式脱臭方法では十分除去できない臭気を効率的に行なう方法および効果について提案する。
【０００７】
【発明が解決するための手段】
本発明の請求項１記載の脱臭装置は、カラム内に微生物を担持した担体を充填しておき、カラム中段より、洗浄水を散水しつつ、下部より臭気ガスを送風して担体に接触させながら上部方向に排出する脱臭装置において、該散水装置の上方部にミストセパレーターを設け、該ミストセパレーターの上方部に腐植土を用い造粒したペレットで構成される層を設けることを特徴とした生物と腐植土を利用した脱臭装置である。この装置において、ミストセパレーターは多孔板、傾斜板、連続気泡を有したスポンジ、動植物の繊維や合成繊維などをスプリング状にカール加工して多くの小さな弾性体を作り、これらを結合剤で被覆結合した立体網目状の立体構造を有したロック材等何れの方法、材料を用いても構わない。
【０００８】
本発明の請求項2記載の脱臭装置は、請求項1記載の脱臭装置のうち、腐植土層が2層以上設けられた生物と腐植土を利用した脱臭装置である。腐植土の層と層の間には少なくとも10ｍｍ以上の間隙を設けることが望ましい。また、腐植土の層は2層以上であれば何層であっても良い。
【０００９】
本発明の請求項3記載の脱臭装置は請求項1記載の脱臭装置のうち、ミストセパレーターがロック材であり、腐植土層との間隔が5ｍｍ以上、層厚が50ｍｍ以上である生物と腐植土を利用した脱臭装置である。この場合、ロック材は、動植物の繊維や合成繊維などをスプリング状にカール加工して多くの小さな弾性体を作り、これらを結合剤で被覆結合した立体網目状の立体構造を有したものであり、材質は問われない。
【００１０】
本発明の請求項４記載の脱臭装置は、請求項1記載の脱臭装置のうち、腐植土層上部に活性炭層を設けた生物と腐植土を利用した脱臭装置である。この場合活性炭はヤシ殻活性炭、石炭系、石油系のいかなるものでも良く、ヨウ素や遷移金属等を添着した活性炭であっても良い。
【００１１】
【発明の実施形態】
以下、図１に従って、本装置の実施形態の１例について説明する。なお、本装置の実施形態はこれに限定されない。
【００１２】
カラム1内に微生物を担持した担体を充填した層８，９を設け、カラム中段に設けた散水管２よりより洗浄水を散水しつつ、カラム１の下部に設けた流入管３より臭気ガス送風して担体を充填した層８，９中の担体に接触させながら、臭気ガス中の一部の成分を脱臭する。臭気ガスはその後、ミストセパレーター７を通過時に飛沫が除去され、相対湿度が95％程度に保持される。飛沫を除去された該臭気ガスは、腐植土を用い造粒したペレットで構成される層５，６を通過し、微生物を担持した担体を充填した層８，９で除去できなかった臭気成分を吸着する。
【００１３】
図１では、腐植土を用い造粒したペレットで構成される層５，６間に10ｍｍ以上の空隙を設けているが、構造により、層６が洗浄水の飛沫で湿潤して、ペレットが,崩れたり、脱臭効果が低減することがあっても、層５まで湿潤することを防止できる構造となっている。さらに、この構造では、最下層の腐植土を用い造粒ペレットで構成される層６は、湿気を吸着する機能を持つとともに、適宜水分を発散させる機能を併せ持つので、上部の層5では適当な湿気を保持できる。図１には表示されていないが、腐植土を用い造粒ペレットで構成される層５の上部に数段の腐植土を用い造粒ペレットで構成される層を設けてもよい。また、腐植土を用い造粒ペレットで構成される層５，６は図１に示されているように同じ層厚である必要はなく、例えば、層６が100ｍｍ、層５が500ｍｍのように層厚を任意に変えても良い。
【００１４】
また、ミストセパレーター７は、除湿の効果が無くてもよく、飛沫が直接、腐植土を用い造粒したペレットで構成される層に達しない構造であれば良い。
【００１５】
図２に硫化水素ガスを腐植土ペレットにより除去を行なう実験を行った結果を示したが、処理ガスが湿潤な方が効果が高く、積極的に除湿を行なう必要がない。
【００１６】
さらに、ミストセパレーターを通過する処理ガスの抵抗が大きいと送風の為のエネルギーが多く必要となる。我々が鋭意研究したところ、ミストセパレーター７がロック材の場合、空隙の間隔が5ｍｍ以上、層厚が50ｍｍ以上であれば、効率良く飛沫の到達を防止でき、かつ送風のエネルギーを最小限にすることができることが判明した。
【００１７】
一方、腐植土ペレット層は湿度を吸収し、適当な湿度にして放散する性質があるので、必要に応じて腐植土ペレット層上部に活性炭層を設けても良い。
【００１８】
【発明の実施例】
次に本発明を実施例を示す。
【００１９】
実施例1
図１に示した構造を持つ実験装置で脱臭の実験を行った。実験装置では、微生物を担持させた担体の層および腐植土ペレットの層の総容積は各々1.4Lであり、処理風量は11.5L/分であった。また、臭気ガスは人工的に調製し、空気に硫化水素を添加し、硫化水素約50ppmとした。
表1に結果を示す。
【００２０】
【表１】
0004751529.tif 000002
【００２１】
表1に示したように、硫化水素を含む空気を生物処理を行った場合、二硫化メチルが生成されることが判明し、かつ悪臭防止法での規制対象範囲を大幅に越えている。その処理空気を腐植土で処理すると、二硫化メチルは測定限界値以下に低下することができた。
【００２２】
【発明の効果】
このように、本発明による脱臭装置は、生物脱臭の段階で、生成される悪臭物質も効率的に除去できる。
【図面の簡単な説明】
【図１】発明の実施形態
【図２】ガスの湿度と硫化水素の除去率
【符号の説明】
１：カラム
２：散水管
３：流入管
４：排気管
５：腐植土ペレット層
６：腐植土ペレット層
７：ミストセパレーター
８：微生物を担持した担体層
９：微生物を担持した担体層
１０：排水管
１１：固定台
【図１】
0004751529.tif 000003
【図２】
0004751529.tif 000004